(57)【要約】【課題】  レンズフードを用いた撮影を考慮した、大型化を軽減するレンズ防塵装置を提供すること。【解決手段】  着脱可能な撮影光学系の防塵装置１０００は、撮影光学系２を囲むように配置されているダクト部ｄ１０と、ダクト部内からダクト部の排気口ｄ２０へ空気を送風する送風手段２１０ａ〜ｄと、を有する。  撮影光学系２が取り付けられた時、ダクト部ｄ１０の排気口ｄ２０が撮影光学系２を囲むように配置されている。  ダクト部ｄ１０の排気口ｄ２０は、角が４以上の多角形状である。【選択図】  図２
2020106700.tif 000002
【特許請求の範囲】
【請求項１】
着脱可能な撮影光学系の防塵装置であって、
前記撮影光学系を囲むように配置されているダクト部と、
前記ダクト部内から前記ダクト部のダクト排気口へ空気を送風する送風手段と、を備え、
撮影光学系が取り付けられた時、
前記ダクト排気口は、前記撮影光学系を囲む、角が４以上の多角形状を有することを特徴とする撮影光学系の防塵装置。
【請求項２】
前記防塵装置は、前記撮影光学系の少なくとも一部が挿入可能な開口を有する本体部を有し、
前記本体部の開口を囲むように前記ダクト排気口が配置されていることを特徴とする請求項１に記載の撮影光学系の防塵装置。
【請求項３】
撮影光学系に着脱可能な防塵装置であって、
前記撮影光学系の少なくとも一部が挿入可能な開口を有する本体部と、
前記本体部の開口を囲むように配置されているダクト部と、
前記ダクト部内から前記ダクト部のダクト排気口へ空気を送風する送風手段と、を備え、
前記ダクト排気口は、前記開口を囲む、角が４以上の多角形状を有することを特徴とする撮影光学系の防塵装置。
【請求項４】
前記本体部は、開口を有するホルダー部と、前記ホルダー部を囲むように配置されている蓋部とを備え、前記ダクト部は前記ホルダー部を囲むように配置されており、前記ダクト排気口は前記ホルダー部と前記蓋部とから形成されていることを特徴とする請求項１から３のいずれか１項に記載の撮影光学系の防塵装置。
【請求項５】
前記防塵装置が前記撮影光学系に取り付けられたとき、前記ダクト排気口は前記撮影光学系よりも前面に位置することを特徴とする請求項１から４のいずれか１項に記載の撮影光学系の防塵装置。
【請求項６】
前記送風手段は、複数であり、対向して配置されていることを特徴とする請求項１から５のいずれか１項に記載の撮影光学系の防塵装置。
【請求項７】
前記ダクト排気口は、継ぎ目を有しておらず、角が四以上の角丸多角形状であることを特徴とする請求項１から６のいずれか１項に記載の撮影光学系の防塵装置。
【請求項８】
前記送風手段から空気が排出され、前記ダクト部内から前記ダクト排気口に流れる流路の距離であり、前記装着した撮影光学系の光軸方向における距離の大きさは、前記ダクト排気口の前記光軸方向と交差する方向における幅よりも大きいことを特徴とする請求項１から７のいずれか１項に記載の撮影光学系の防塵装置。
【請求項９】
前記流路の距離の大きさは、前記ダクト排気口の幅の８倍以上であることを特徴とする請求項８に記載の撮影光学系の防塵装置。
【請求項１０】
前記送風手段から排出された空気が合流する合流位置から前記ダクト排気口までの距離で、前記装着した撮影光学系の光軸方向における距離である助走区間の大きさは、前記ダクト排気口の前記光軸方向と交差する方向における幅の大きさよりも大きいことを特徴とする請求項１から９のいずれか１項に記載の撮影光学系の防塵装置。
【請求項１１】
前記助走区間の大きさは、前記ダクト排気口の幅の８倍以上であることを特徴とする請求項１０に記載の撮影光学系の防塵装置。
【請求項１２】
前記合流位置は、前記ダクト部内にあることを特徴とする請求項１０または１１に記載の撮影光学系の防塵装置。
【請求項１３】
前記ダクト部のうち、前記装着した撮影光学系の光軸方向と交差する方向における幅は、前記ダクト部内からダクト排気口に向かって小さくなっていくことを特徴とする請求項１から１２のいずれか１項に記載の撮影光学系の防塵装置。
【請求項１４】
前記ダクト排気口の前記装着した撮影光学系の光軸方向と交差する方向における幅は均一であることを特徴とする請求項１から１３のいずれか１項に記載の撮影光学系の防塵装置。
【請求項１５】
前記ダクト排気口から排気される空気は、前記装着した撮影光学系の光軸に対し遠ざかる方向に角度を有するように、前記ダクト排気口に傾斜を設けていることを特徴とする請求項１から１４のいずれか１項に記載の撮影光学系の防塵装置。
【請求項１６】
前記ダクト排気口の角度は、光軸に対して４５°未満であることを特徴とする請求項１５に記載の撮影光学系の防塵装置。
【請求項１７】
前記撮影光学系は交換レンズであることを特徴とする請求項１から１６のいずれか１項に記載の撮影光学系の防塵装置。
【請求項１８】
撮像装置と、交換レンズと、前記交換レンズのねじ溝に螺合され、前記交換レンズに着脱可能に取り付けられる防塵装置と、を有する撮像システムにおいて、
前記撮影光学系の防塵装置は請求項１から１７のいずれか１項に記載の撮影光学系の防塵装置である撮像システム。
【発明の詳細な説明】
【技術分野】
【０００１】
本発明は、撮像光学系に装着する防塵装置とそれを備えた装置に関する。
【背景技術】
【０００２】
近年、カメラを遠隔操作し、撮影者がカメラの近くにいなくても撮影が可能であるリモート撮影の需要が増加傾向にある。リモート撮影時において塵埃が舞っている環境下にカメラを設置した場合、レンズの前玉に塵埃が付着しても撮影者がカメラの近くに居ないため、付着した塵埃を除去できない。そのため、塵埃が映り込み、所望の画質での撮影ができない懸念がある。
【０００３】
従来、撮像レンズの塵埃除去について、円筒状送風部の内部空間に空気を送り込む方法が提案されている。
【０００４】
特許文献１では、大傾斜角度の第１気流ガイドと小傾斜角度の第２気流ガイドを有し、気流ガイド筒体とカメラレンズ筒体との隙間にエアを供給するエア導入口を備える。
【０００５】
また、特許文献２では、レンズ用送風装置は、円筒状の形状を有し、円筒の円周に沿って内部空間が設けられ、内部空間を流れる空気を円筒の開口から外に向かう方向に送風するレンズ先端側開口が設けられる円筒状送風部を備える。
【先行技術文献】
【特許文献】
【０００６】
【特許文献１】実開平７―１４４０
【特許文献２】特開２０１２−１６８４５７
【発明の概要】
【発明が解決しようとする課題】
【０００７】
撮像装置を用いた撮影時に、レンズフードが用いられることがある。
【０００８】
しかしながら、特許文献１、２には、それぞれに記載の防塵技術に、レンズフードを併用することは記載されていない。
【０００９】
一般的な四角形状のレンズフードをこの先行文献の装置に装着する場合、レンズフードの外側に装置が配置され、レンズフードの周りに沿った内部空間に送風する必要がある。そのためレンズフードの外径より大きな外径の防塵装置が必要となり、防塵装置が大型化してしまう。
【００１０】
上記の課題を鑑みて、本発明は、レンズフードを用いた撮影を考慮した、大型化を軽減するレンズ防塵装置を提供することである。
【課題を解決するための手段】
【００１１】
本発明の一側面としてのレンズ防振装置は、
着脱可能な撮影光学系の防塵装置であって、
撮影光学系を囲むように配置されているダクト部と、
ダクト部内からダクト部のダクト排気口へ空気を送風する送風手段と、を備え、
撮影光学系が取り付けられた時、
ダクト排気口は、撮影光学系を囲む、角が４以上の多角形状を有することを特徴とする。
【００１２】
本発明のその他の側面については、以下で説明する実施の形態で明らかにする。
【発明の効果】
【００１３】
以上説明したように、本発明に係るレンズ防塵装置によれば、レンズフードを用いた撮影を考慮した、大型化を軽減するレンズ防塵装置を提供することができる。
【図面の簡単な説明】
【００１４】
【図１】撮像装置及び撮像装置に取り付けられた交換レンズの斜視図。
【図２】本発明の第１の実施形態に係るレンズ防塵装置を交換レンズに装着した時の斜視図。
【図３】（ａ）本発明の第１の実施形態に係るレンズ防塵装置を前面から見た斜視図、（ｂ）レンズ防塵装置を背面側から見た斜視図。
【図４】本発明の第１の実施形態に係るレンズ防塵装置の本体部を背面側から見た斜視図。
【図５】（ａ）本発明の第１の実施形態に係るレンズ防塵装置の本体部の左右側面のみの分解斜視図、（ｂ）レンズ防塵装置の本体部の上下面のみの分解斜視図、（ｃ）レンズ防塵装置の本体部の前面のみの分解斜視図。
【図６】（ａ）本発明の第１の実施形態に係るレンズ防塵装置の被写体側正面図、（ｂ）図６（ａ）のＡ−Ａ断面図。
【図７】（ａ）本発明の第１の実施形態に係るレンズ防塵装置のファンの斜視図、（ｂ）レンズ防塵装置のファンのみの分解斜視図。
【図８】（ａ）本発明の第１の実施形態に係るレンズ防塵装置の被写体側から見たときの上面及び右側面における気流の合流を示す斜視図、（ｂ）本発明の第１の実施形態に係るレンズ防塵装置の被写体側から見たときの右側面におけるファンからの気流を示す図。
【図９】本発明の第１の実施形態に係るレンズ防塵装置に関する図６（ｂ）におけるＡ−Ａ断面図での気流を示す図。
【図１０】（ａ）本発明の第２の実施形態に係るレンズ防塵装置の正面図、（ｂ）本発明の第２の実施形態に係るレンズ防塵装置に関する図（ａ）におけるＢ−Ｂ断面図、（ｃ）本発明の第２の実施形態に係るレンズ防塵装置に関する図（ｂ）におけるＣ部の拡大図。
【発明を実施するための形態】
【００１５】
＜第１の実施形態＞
以下、本発明の好ましい実施の形態を添付の図面に基づいて詳細に説明する。図１〜図９は本発明の第１の実施形態に係る図である。
【００１６】
図１は、撮像装置（カメラ本体）１及び撮像装置１に取り付けられた撮影光学系（交換レンズ）２の斜視図を示し、図２は、本実施形態に係る撮影光学系の防塵装置１０００を撮影光学系２に装着した時の斜視図である。
【００１７】
ここで、Ｘ、Ｙ、Ｚ方向はそれぞれ前後、左右、上下方向に対応しており、＋Ｘ方向が撮影光学系を取り付けたときの被写体側（前面側）であり、−Ｘ方向が撮像装置側（背面側）である。
【００１８】
撮像システム２０００は、撮像装置（カメラ本体）１、撮影光学系（交換レンズ）２、撮影光学系の防塵装置１０００から構成されている。
【００１９】
撮像装置１は撮影光学系２を取り付け、撮像している。
【００２０】
撮影光学系２の被写体側の先端部には、レンズフードなどを取り付けるためのねじ溝２１が設けられている。
【００２１】
防塵装置１０００は、撮影光学系２に設けられたねじ溝２１により撮影光学系２に装着され、撮影光学系２の被写体側前面に付着する塵埃を低減しつつ、撮影に不要な光を遮蔽するレンズフードとしても機能する。
【００２２】
次に、撮影光学系の防塵装置１０００の詳細について、図３〜１０を用いて説明する。
【００２３】
図３（ａ）は、本発明の第１の実施形態に係るレンズ防塵装置１０００を被写体側から見た斜視図である。また、図３（ｂ）は、レンズ防塵装置１０００を撮像装置側から見た斜視図である。
【００２４】
防塵装置１０００は、ホルダー部１１０と蓋部（１２０、１３０、１６０）と、ダクト部ｄ１０（不図示）とダクト部の排気口ｄ２０と装着部１０３と、を有する本体部（不図示）と、本体部に備えられている送風手段のファン２１０ａ〜ｄと、を備える。本体部の詳細な説明については、後述する。
【００２５】
防塵装置１０００はレンズフード形状を有する。本実施形態において防塵装置１０００の本体部はレンズフード形状を有しているが、交換レンズ２の画角内の被写体像の結像に用いられる有効な光線を遮光せず、かつ、撮影光学系２に入射する不要な光を遮蔽する形状で有れば良い。
【００２６】
本体部は、上述したねじ溝２１に対応した装着部１０３を有し、装着部１０３が撮影光学系２のねじ溝２１に螺合することによって、レンズ防塵装置１０００が撮影光学系２に着脱可能に取り付けられる。
【００２７】
本実施形態において、撮影光学系は交換レンズ２であるが、本実施形態の防塵装置は、交換レンズ２の先端に取り付けられた光学フィルタなど、交換レンズ以外の撮影光学系に付着する塵埃を軽減する防塵装置となることもできる。
【００２８】
撮影光学系２に防塵装置１０００を取り付けたとき、被写体側から見て、防塵装置１０００の本体部は撮影光学系２を囲むように配置されている。
【００２９】
次に、図４〜６を用いて本体部１００について詳細に説明する。
【００３０】
図４は、レンズ防塵装置１０００の本体部１００を背面から見た斜視図である。図５は、レンズ防塵装置１０００の分解斜視図であり、（ａ）は本体部１００の左右側面のみの分解斜視図、（ｂ）は本体部１００の上下面のみの分解斜視図、（ｃ）は本体部１００の前面のみの分解斜視図である。図６（ａ）は、レンズ防塵装置１０００の被写体側からみたときの正面図、図６（ｂ）は、図６（ａ）におけるＡ−Ａ断面図である。図６（ｂ）では、防塵装置１０００内の気流に関する矢印（ファン２１０ａから送風された気流Ｗａなど）があるが、この内容に関しては後述する。
【００３１】
図３で上述した部材について説明する。以下に登場する、本体部１００の開口はホルダー部１１０の開口２００を指す。
【００３２】
本体部１００のホルダー部１１０は、撮影光学系の少なくとも一部が挿入可能な開口２００を備える。また、ホルダー部１１０は、送風手段であるファン２１０ａ〜ｄを取り付けるための複数の吸気穴１０２ａ〜ｄを有している。
【００３３】
蓋部は、複数の蓋（１２０、１３０、１６０）が固定されて形成されるものである。本実施形態では、上下ダクト蓋１２０ａ、１２０ｂはダクト蓋固定ビス１４０（固定部材）により、左右ダクト蓋１３０ｃ、１３０ｄは固定部材である左右ダクト蓋固定ビス１５０（固定部材）によりホルダー部１１０に固定されている。また、ダクト前蓋１６０は、空気漏れを防止するためのクッション部材１７０を介して、ダクト前蓋固定ビス１８０（固定部材）により左右ダクト蓋１３０ｃ、１３０ｄに固定されている。このとき、上下ダクト蓋１２０ａ、１２０ｂと左右ダクト蓋１３０ｃ、１３０ｄとは凹部を有し、ダクト前蓋１６０は撮像装置側に突出した凸部を有し、凹部と凸部が組み合わさるようにして一体的に固定されている。本実施形態において、蓋部は各ダクト蓋に設けられている凹部とダクト前蓋の凸部とを組み合わせて形成されているが、３Ｄプリンタ等を使い、一体的に成形することも可能である。
【００３４】
ダクト部ｄ１０はホルダー部１１０と、ホルダー部１１０を囲むように配置されている蓋部から形成されており、ダクト部内には、ファン２１０ａから送風された空気を吸気するダクト吸気口ｄ３０ａと、空気を排気する出口となるダクト排気口ｄ２０がある。ファン２１０ａ及びダクト吸気口ｄ３０ａを用いて説明をしたが、他のファンやダクト吸気口についても同様の構成を有する。
【００３５】
被写体側から見ると、ダクト部の排気口ｄ２０は、本体部１００の開口を囲むように配置されている。ダクト部ｄ１０の一方には送風手段２１０ａやダクト吸気口３０ａが、他方にはダクト部の排気口ｄ２０が設けられている。
【００３６】
本体部１００の開口２００は、撮影光学系の撮像エリアを遮らないように設けられている。
【００３７】
防塵装置１０００の使用時、つまり、撮影光学系に防塵装置１０００を取り付けたとき、被写体側から見て、ファンから送風された空気の流路となるダクト排気口ｄ２０は、撮影光学系２を囲むように配置されている。尚、光軸方向（Ｘ方向）においてダクト排気口ｄ２０と撮影光学系２の位置はずれていてもよい。本発明及び本明細書において、光軸方向に垂直な平面（ＹＺ平面）に投影したときにダクト排気口ｄ２０が撮影光学系２を囲んでいれば、ダクト排気口ｄ２０は、撮影光学系２を囲むとする。
【００３８】
ダクト部ｄ１０内のうち、ダクト吸気口ｄ３０ａからダクト排気口ｄ２０の間の流路には、リブやフィン、整流板など気流を妨げる障害物を設けていない。
【００３９】
ダクト排気口ｄ２０は、ダクト部ｄ１０のうち、被写体側の端に位置している。詳細にいうと、ダクト排気口ｄ２０は、ホルダー部１１０と蓋部のダクト前蓋１６０で形成されている。ダクト排気口ｄ２０は、全面で排気できるような、継ぎ目を有さない形状である。
【００４０】
被写体側から見たとき、ホルダー部１１０の外周、また、ダクト前蓋１６０の内周は、角が四以上の角丸多角形状である。そのため、形成されたダクト排気口ｄ２０は、角が四以上の角丸多角形状となる。この時、開口２００を有するホルダー部１１０の内周は、撮像エリアを遮らないような形状であれば、丸形などの角が四以上の角丸多角形でなくともよい。
【００４１】
ダクト部の排気口ｄ２０は、継ぎ目を設けない角丸多角形状の間隙であることにより、気流のない領域が生じない。また角が丸い形状により、全面で、一定の風速で排気することができ、交換レンズ２の前玉への塵埃の付着を防止することができる。
【００４２】
ダクト排気口ｄ２０は、角を有する多角形状においても、継ぎ目を有さないため、全面から空気を排出するような防塵は可能であるが、本実施形態のように角を丸めることで、ダクト排気口ｄ２０のすべての領域で流速が安定し、より高い防塵効果が期待される。そのため、実施する場合には、ダクト排気口ｄ２０は角が丸い形状が好ましい。
【００４３】
また、仮に、特許文献１に記載の技術をレンズフードに入れようとするとき、レンズフードと円筒状の気流ガイド筺体の出口である流路の幅が不均一になり、流速が小さい領域ができ、そこから塵埃が侵入し、レンズに付着してしまう。本実施形態では、出口となるダクト排気口ｄ２０の、取り付けた撮影光学系の光軸に対し交差する幅は均一であるため、塵埃が侵入し、レンズに付着することを軽減できる。
【００４４】
更に、ダクト排気口ｄ２０はレンズ鏡筒が備える交換レンズ２の被写体側最前面である前玉よりも被写体側に位置している。これは、防塵装置がレンズフードを兼ねる構造であることからこの位置に配置されているだけでなく、ダクト排気口ｄ２０から吐出される気流が、交換レンズ２の前玉を覆うような気流であり、塵埃が侵入する可能性を小さくすることを意図している。
【００４５】
本実施形態におけるダクト排気口ｄ２０は角が４つであるが、角が４以上の形状でもよい。そのとき、交換レンズ２に防塵装置１０００を取り付ける際の大型化を抑制するため、少なくとも２辺は撮像装置内の撮像素子の撮像エリアの上下左右の辺と各々平行であることが好ましい。本実施形態では、ダクト排気口ｄ２０のロの字形状の長辺及び短辺と、撮像素子の撮像エリアの上下左右の辺は各々平行である。
【００４６】
ファンの構成については、図７（ａ）、図７（ｂ）を用いて説明をする。図７（ａ）は、本実施形態に係るレンズ防塵装置１０００に備えられるファン２１０ａの斜視図である。図７（ｂ）はレンズ防塵装置１０００からファン２１０ａのみ分解したときの斜視図である。
【００４７】
図７（ａ）は、ファン２１０ａのみを示しているが、ファン２１０ｂ〜ｄについても同様の構成を有しているため、一部説明を省略する。本実施形態において、ファン２１０ａは遠心ファンであり、ファン２１０ａには、本体部１００に備えられている気流を吸気する吸気穴１０２ａに対応したファン吸気口２１１ａと、吸気した気流を排気するファン排気口２１２ａが備えられている。ファン排気口２１２ａから排出された空気は、ダクト吸気口ｄ３０ａに流出するため、大きな空気漏れ等がないようにファン排気口２１２ａとダクト吸気口ｄ３０ａとは配置されている。
【００４８】
ファンの固定方法については、図７（ｂ）に示すように、ファン吸気口２１１ａとホルダー部１１０に備えられる吸気穴１０２ａが対応するようにファン２１０ａはファン固定ビス２４０（固定部材）によって本体部１００のホルダー部１１０に固定される。このとき、ファン２１０ａのファン吸気口２１１ａは、吸気穴１０２ａに対応して設置される。ファン吸気口２１１ａはレンズ防塵装置１０００の内側方向を向く状態で設置され、図７（ａ）の点線で示すファン吸気口の回転中心軸が交換レンズ２の光軸方向と交差する方向になるように配置される。そのため、防塵装置１０００を被写体側から見たとき、ファン２１０ａ〜ｄが本体部１００から光軸と交差する方向（厚み方向）に突出しないように固定されており、レンズ防塵装置１０００の大型化を抑制している。ファン２１０ａ〜ｄが厚み方向に突出しないように配置されていることにより、交換レンズ２にレンズ防塵装置１０００を取り付けることによるレンズ防塵装置１０００の大型化についても抑制することができる。
【００４９】
本実施形態において、撮像素子の撮像エリアの各辺（上下左右の辺）と遠心ファンの回転軸が交差するように各ファン２１０ａ〜ｄを本体部１００に設置しているが、ファンの個数に限定はない。例えば、撮像素子の撮像エリアの上下の辺に対し、ファンの回転軸が交差する位置だけにファンを設けても良い。ダクト排気口ｄ２０の全領域の中で風速の偏りがないように調整した送風を行う１つのファンを配置することも可能であるが、塵埃の侵入の可能性を少なくするためには、ファンは複数であり、対向して配置されていることがより好ましい。
【００５０】
また、本体部の吸気穴１０２ａにはファン吸気口２１１ａより吸気した気流に塵埃が混入するのを防ぐために気流に混入した塵埃を取り除くフィルタを設置しても良い。ファン２１０ａは不図示の電源ケーブルを介して撮像装置１から電源が供給されるが、外部からの電源供給があっても良い。ファン吸気口２１１ａ及びファン排気口２１２ａには空気漏れ防止のため、ホルダー部１１０との隙間を埋めるように各々排気口クッション部材２２０及び吸気口クッション部材２３０が取り付けられる。
【００５１】
次に、防塵装置１０００内の空気の流れに関して、図６（ｂ）、図８で詳細に説明する。図６（ｂ）については一部上述したが、ファン２１０ａで吸気し、送風された気流Ｗａがダクト部ｄ１０を通り、ダクト部の排気口ｄ２０で排気する気流Ｗ０の流れを示している。図８（ａ）は、レンズ防塵装置１０００のファン２１０ａから送風された気流Ｗａとファン２１０ｄから送風された気流Ｗｄが合流位置ｄ４０ａｄにて合流する図を示す。図８（ｂ）は、図８（ａ）に示すレンズ防塵装置１０００の被写体側から見たときの右側面から見た図である。図９は、図６（ｂ）に気流の方向を示した図である。ファンから送風された気流について、ファン２１０ａ及び気流Ｗａを用いて説明をするが、他のファン及び気流についても同様の構成を有する。
【００５２】
防塵装置１０００の全体の空気の流れとして、図７で示した本体部１００に取り付けられたファンの排気口２１２ａから送風された空気が、ダクト吸気口ｄ３０ａに流入し、ダクト部ｄ１０内を通りダクト排気口ｄ２０から外へ排出される。
【００５３】
ファン吸気口２１１ａから流入した気流Ｗａはダクト吸気口ｄ３０ａよりダクト排気口ｄ２０に流れる際の空気の通る流路となるダクト部ｄ１０へ流入する。ダクト部ｄ１０に流入した気流Ｗａは、取り付けられたレンズの光軸Ｏにおける方向にダクト排気口ｄ２０から被写体側に吐出される。図６（ｂ）に示すように、ダクト部ｄ１０は、ダクト部内からダクト部のダクト排気口ｄ２０に向かうにつれ、次第に光軸方向と交差する方向における幅が小さくなっていく形状を有している。これによりダクト排気口ｄ２０より吐出される気流Ｗ０の流速が上がり、より高い防塵効果を得ることができる。
【００５４】
また、ダクト吸気口ｄ３０ａより流入した気流はダクト部ｄ１０内で合流し、一つの流れを形成し、最終的にダクト排気口ｄ２０より被写体側へ吐出される。
【００５５】
図８を用い、気流の合流について、ファン２１０ｄから送風される空気を例として説明する。ダクト吸気口ｄ３０ｄからダクト部ｄ１０へ流入した気流ＷｄはＸ−Ｙ平面上に広がる。Ｘ−Ｙ平面上に広がった気流Ｗｄは合流位置ｄ４０ａｄ及び合流位置ｄ４０ｂｄにてファン２１０ａからの気流Ｗａ及びファン２１０ｂからの気流Ｗｂ（不図示）と合流する。ファン２１０ｄ及び気流Ｗｄを用いたが、他のファンやファンに対応した気流、合流位置に関しても同様のことが言える。そして、合流し、ダクト排気口ｄ２０から気流Ｗ０として吐出される。ここで、ダクト排気口ｄ２０は継ぎ目のない、ロの字形状（角丸多角形の形状）を有していることから、吐出された気流Ｗ０は気流のない領域が生じないため、交換レンズ２の前玉への塵埃の付着を全面で防止することができる。また、角があると風速が小さい箇所が存在し、その箇所から塵埃が侵入してしまう可能性がある。本実施形態のように、ダクト排気口ｄ２０の角部を丸めた角丸形状にすることで、空気の合流をしやすくし、風速が小さい箇所がないようにすることで、塵埃が侵入する可能性を軽減することができ、より高い防塵効果が期待できる。
【００５６】
また、図９で示すように、ダクト排気口ｄ２０から被写体側に吐出された気流Ｗ０は交換レンズ２の前玉を包み込むような流れを形成する。ダクト排気口ｄ２０から被写体側に吐出された気流Ｗ０は取り付けられた交換レンズ２の光軸Ｏに対して平行な方向に吐出されているにも関わらず、光軸Ｏに引きつけられるような流れを形成している。これは、上下左右４方向からの気流によって光軸Ｏ付近に負圧が発生するためである。この交換レンズ２の前玉を包み込むような流れによって、交換レンズ２の前玉に近付くように浮遊してくる塵埃を吹き飛ばすことができ、交換レンズ２の前玉への塵埃の付着を予防できる。
【００５７】
また、各ファンから空気が送風され、ダクト部ｄ１０内からダクト排気口ｄ２０に流れる流路の距離であり、装着した撮影光学系の光軸方向における距離の大きさＬ３は、ダクト排気口ｄ２０の光軸方向と交差する方向における幅Ｌ１よりも大きくなる。
【００５８】
さらに、ダクト部ｄ１０のうち、各ファンからダクト吸気口ｄ３０ａに流入した各気流がｄ１０内で合流する合流位置ｄ４０ａｄからダクト排気口ｄ２０までの光軸方向における距離を助走区間Ｌ２とする。流体解析の結果から、助走区間Ｌ２は、ダクト排気口ｄ２０の光軸に交差する方向（Ｙ方向）における幅Ｌ１の８倍の距離があることが好ましい。
【００５９】
特定の距離を設けることにより、ダクト排気口ｄ２０から吐出される気流Ｗ０の流速を均一にすることができる。Ｌ２また、Ｌ３の大きさは、Ｌ１の大きさの８倍以上であれば、性能上問題はないが、装置の大型化につながらないように、助走区間Ｌ２および距離Ｌ３の大きさを設ける必要がある。
【００６０】
＜第２の実施形態＞
図１０は本発明の実施の第２の形態に係る図である。
【００６１】
図１０（ａ）は、本発明の第２の実施形態に係るレンズ防塵装置１００１の正面図、図１０（ｂ）は、本発明の第２の実施形態に係るレンズ防塵装置１００１の図１０（ａ）におけるＢ−Ｂ断面図を示す。図１０（ｃ）は、図１０（ｂ）におけるＣ部の拡大図である。
【００６２】
なお、第１の実施形態と同一の符号は第１の実施形態と同じ構成であるものとし、その説明を省略する。また、第１の実施形態のレンズ防塵装置１０００との違いは、本体部１０１のうち、ダクト部ｄ１１の被写体側の端部に、光軸Ｏに対して撮影光学系（レンズ）２から遠ざかる方向に、外向きの角度が設けられている点のみである。第２の実施形態におけるファン２１０ａからダクト部ｄ１１に送り込まれた気流Ｗａ及びダクト部ｄ１１について詳細に説明する。ここで、ファン２１０ａ及び気流Ｗａ、図８の合流位置ｄ４０ａｄ、ｂｄを用いて説明をするが、他のファン、気流、および合流位置についても同様の構成を有している。
【００６３】
各ファン２１０ａから流入した気流Ｗａは、ファン２１０ａに対応するダクト吸気口ｄ３０ａからダクト部ｄ１１に流入する。そして、図８に示した合流位置ｄ４０ａｄ、ｂｄで空気が合流し、光軸Ｏに対して外向きの角度を有する傾斜部ｄ５１を通り、ダクト排気口ｄ２１から被写体側に気流Ｗ１として吐出される。そして、吐出した空気は、交換レンズ２の被写体側最前に位置する前玉を包み込むような流れを形成する。図１０（ｂ）に示すように、ダクト部ｄ１１は第１の実施形態と同様にダクト排気口ｄ２１に向かうにつれ縮小する形状を有し、ダクト排気口ｄ２１より吐出される気流Ｗ１の流速が上がり、より高い防塵効果を得ることができる。
【００６４】
図１０（ｃ）で示すθは、傾斜部ｄ５１の光軸Ｏに対する角度である。傾斜部ｄ５１を設けることにより、ダクト排気口ｄ２１から吐出された気流の一部が交換レンズ２の前玉側へ塵埃を巻き込むような流れになるのを抑制することができる。
【００６５】
本実施形態において、傾斜部ｄ５１の角度θは１５°であるが、θは４５°未満の角度でも効果を有するため、θは４５°未満の角度であればよい。
【００６６】
図１０（ｃ）に示すように、ダクト部ｄ１１には光軸Ｏに対して外向きの角度を有している傾斜部ｄ５１を設けているため、ホルダー部１１１及びダクト前蓋１６１は傾斜部ｄ５１を形成するような形状を有している。本実施形態において、ダクト部ｄ１１の被写体側の端であるダクト排気口ｄ２１が光軸Ｏに対して外向きの角度を有しているが、ダクト部ｄ１１が全体的に光軸Ｏに対して外向きの角度を有していても良い。
【００６７】
以上、本発明をその好適な実施形態に基づいて詳述してきたが、本発明はこれら特定の実施形態に限られるものではなく、この発明の要旨を逸脱しない範囲の様々な形態も本発明に含まれる。第１の実施形態及び第２の実施形態においてレンズ防塵装置１０００及びレンズ防塵装置１００１は交換レンズ２に着脱可能に取り付けられているが、例えば、撮像装置１及び交換レンズ２を搭載したハウジングの外側に取り付けられていても良い。
【符号の説明】
【００６８】
１００  本体部
２１０ａ，ｂ，ｃ，ｄ  ファン（送風手段）
１０００  撮影光学系（交換レンズ）の防塵装置
ｄ１０  ダクト部
ｄ２０  ダクト部の排気口
【図１】
2020106700.tif 000003
【図２】
2020106700.tif 000004
【図３】
2020106700.tif 000005
【図４】
2020106700.tif 000006
【図５】
2020106700.tif 000007
【図６】
2020106700.tif 000008
【図７】
2020106700.tif 000009
【図８】
2020106700.tif 000010
【図９】
2020106700.tif 000011
【図１０】
2020106700.tif 000012